(57)【要約】【課題】シャッタボタンの押下操作の緩急に因らずシャッタ速度を一定にする。【解決手段】係合爪部１２ｃがレリーズ部材１２に一体に形成されている。係止レバー６８はレリーズ部材１２の移動方向に対して直交するほぼ水平面内で回動する。係止レバー６８のガイド筒６８ｃには、爪部材７１が移動自在に設けられ、外方に突出する方向にバネ付勢されている。係止レバー６８がシャッタ駆動レバー６６をチャージ位置に係止する係止位置では、爪部材７１の偏平面７１ｃが係合爪部１２ｃに当接している。シャッタボタン８を押下操作すると、係合爪部１２ｃが係止レバー６８の係止位置に影響を与えることなく降下して偏平面７１ｃから離れるから、係止レバー６８は一定の係止位置から回動を開始する。係止突起６８ｂが被係止突起６６ｂから外れ、シャッタ駆動レバー６６が一定速度で回動してシャッタ羽根を蹴飛ばす。【選択図】        図５
2005043562.tif 000002
【特許請求の範囲】
【請求項１】
第１バネの付勢力によりチャージ位置からレリーズ完了位置へ回動する間にシャッタ羽根を蹴飛ばして写真フイルムに露光を与えるシャッタ駆動レバーと、
前記第１バネの付勢に抗してシャッタ駆動レバーをチャージ位置に係止する係止位置と、シャッタ駆動レバーの係止を解除してシャッタ駆動レバーの回動を許容する解除位置との間で回動自在な係止レバーと、
前記係止レバーを係止位置から解除位置に向かって付勢する第２バネと、
シャッタボタンと一体的に設けられ、前記係止レバーの回動軌跡を含む面に対して直交する方向に、シャッタボタンの押下操作に伴って移動するレリーズ部材と、
前記係止レバー又はレリーズ部材のいずれか一方に設けられ、シャッタチャージ動作に伴って解除位置から係止位置に回動してきた係止レバーを第２バネの付勢に抗して係止位置に係止するとともに、シャッタボタンの押下操作に伴うレリーズ部材の移動により係止レバーの係止位置を変更することなく係止レバーの係止を解除する係止部材とからなることを特徴とするシャッタ装置。
【請求項２】
前記係止部材は、係止レバーが係止位置にある時にレリーズ部材に係合する突出位置とレリーズ部材と係合しない退避位置との間で進退自在に係止レバーに設けられるとともに退避位置から突出位置に向かってバネ付勢され、係止レバーが解除位置から係止位置に回動される間にレリーズ部材の一部と当接した際には、係止レバーの回動を許容するように突出位置から引っ込み、係止レバーが係止位置に達した後は、突出位置に突出してレリーズ部材と係合することを特徴とする請求項１記載のシャッタ装置。
【発明の詳細な説明】
【０００１】
【発明の属する技術分野】
本発明は、シャッタ装置に関し、更に詳しくは蹴飛ばし方式のシャッタ装置に関するものである。
【０００２】
【従来の技術】
レンズ付きフイルムユニットなどのような簡易型カメラでは、蹴飛ばし方式のシャッタ装置が用いられている。蹴飛ばし方式のシャッタ装置は、レリーズ操作に応答してシャッタ駆動レバーをバネの付勢力によりチャージ位置からレリーズ完了位置に回動し、この回動の間にシャッタ羽根を蹴飛ばして露光用開口を開閉し、写真フイルムへの露光を行うものである（例えば特許文献１）。
【０００３】
特許文献１記載のシャッタ装置は、係止レバーの下部に突起が設けられ、シャッタチャージがなされたときに、係止レバーの突起と係合してシャッタ駆動レバーをチャージ位置に保持する突起がシャッタ駆動レバーに形成されている。巻き上げノブの回動に伴うシャッタ駆動レバーの回動途中では、係止レバーの突起がシャッタ駆動レバーの突起に当接するが、このシャッタ駆動レバーに形成された突起は円弧状をしているため、係止レバーは回動しない。
【０００４】
シャッタ駆動レバーがチャージ位置に達すると、シャッタ駆動レバーの突起が係止レバーの突起の回転軌道内から外れるから、係止レバーは回動し、シャッタ駆動レバーの突起の回転軌道内に係止レバーの突起が入り込んでシャッタ駆動レバーがチャージ位置に係止される。レリーズ操作に応答して、係止レバーが回動してシャッタ駆動レバーの突起と係止レバーの突起との係合が解除され、シャッタ駆動レバーがねじりバネの付勢によってチャージ位置からレリーズ完了位置に向かって回動を開始する。そして、シャッタ駆動レバーがシャッタ羽根を蹴飛ばして写真フイルムへの露光を行う。
【０００５】
【特許文献１】
特開２００２−２３２２２号公報
【０００６】
【発明が解決しようとする課題】
上記特許文献１記載のシャッタ装置では、使用者がシャッタボタンの押下操作をゆっくり行った時には、シャッタ駆動レバーの突起と係止レバーの突起との係合解除が瞬時に行われず、シャッタ駆動レバーの円弧状をした突起と係止レバーの突起とが擦れ合いながらシャッタ駆動レバーが回動することがある。このような現象が発生した場合には、シャッタ駆動レバーの回動速度が遅くなり、シャッタ駆動レバーがシャッタ羽根を蹴飛ばす力が弱まるため、シャッタ羽根が予定した開位置まで開く前に戻しバネによって閉位置に戻され、シャッタ秒時が短くなる。すなわち、シャッタ速度が規定の速度より速くなるから、写真フイルムが露出不足になるという不都合が生じる。
【０００７】
本発明は上記課題を解決するためのものであり、シャッタボタンの押下操作の緩急によってシャッタ速度が変化しないシャッタ装置を提供することを目的とする。
【０００８】
【課題を解決するための手段】
上記目的を達成するために、本発明のシャッタ装置は、第１バネの付勢力によりチャージ位置からレリーズ完了位置へ回動する間にシャッタ羽根を蹴飛ばして写真フイルムに露光を与えるシャッタ駆動レバーと、前記第１バネの付勢に抗してシャッタ駆動レバーをチャージ位置に係止する係止位置と、シャッタ駆動レバーの係止を解除してシャッタ駆動レバーの回動を許容する解除位置との間で回動自在な係止レバーと、前記係止レバーを係止位置から解除位置に向かって付勢する第２バネと、シャッタボタンと一体的に設けられ、前記係止レバーの回動軌跡を含む面に対して直交する方向に、シャッタボタンの押下操作に伴って移動するレリーズ部材と、前記係止レバー又はレリーズ部材のいずれか一方に設けられ、シャッタチャージ動作に伴って解除位置から係止位置に回動してきた係止レバーを第２バネの付勢に抗して係止位置に係止するとともに、シャッタボタンの押下操作に伴うレリーズ部材の移動により係止レバーの係止位置を変更することなく係止レバーの係止を解除する係止部材とからなるものである。
【０００９】
また、前記係止部材は、係止レバーが係止位置にある時にレリーズ部材に係合する突出位置とレリーズ部材と係合しない退避位置との間で進退自在に係止レバーに設けられるとともに退避位置から突出位置に向かってバネ付勢され、係止レバーが解除位置から係止位置に回動される間にレリーズ部材の一部と当接した際には、係止レバーの回動を許容するように突出位置から引っ込み、係止レバーが係止位置に達した後は、突出位置に突出してレリーズ部材と係合するものである。
【００１０】
【発明の実施の形態】
本発明を実施したシャッタ装置を搭載したカメラの外観を示す図１において、カメラ１のカメラボディ２の前面には、撮影レンズ３、対物側ファインダレンズ４、ストロボ発光部５、レンズバリア開閉ノブ６、及びストロボ充電ボタン７が設けられ、上面には、シャッタボタン８、残り撮影枚数を表示するレンズ付きのカウンタ窓９、ライトガイド１０などが設けられている。また、カメラボディ２の背面側には、接眼側ファインダレンズ１１（図２参照）などが設けられている。
【００１１】
カメラボディ２は、図２に示すように、本体基部１９と、この本体基部１９を覆うように前後から取り付けられる前カバー２０、及び後カバー２１からなる。本体基部１９、前カバー２０、及び後カバー２１を構成する大部分の部品は、軽量化及びローコスト化のためにプラスチック成形されている。
【００１２】
後カバー２１は、カバー基部２３及び裏蓋２４からなる。裏蓋２４は、カメラボディ２に対して開閉自在に取り付けられ、閉じ位置にあるときには、カメラボディ２の内部を光密に塞ぐ。また、下方部には、電池室蓋２５が開閉自在に取り付けられており、この電池室蓋２５を開き位置にすると、電池室２６が露呈する。
【００１３】
本体基部１９には、図３に示すように、露光機構２７、ファインダユニット２８、本発明を実施したシャッタ装置２９、フイルム給送機構３０、カウンタ機構３１などの各種撮影機構が組み込まれている。ファインダユニット２８は、対物側ファインダレンズ４、接眼側ファインダレンズ１１、及びこれらを支持するファインダベース３２からなり、本体基部１９の上部に組み付けられている。
【００１４】
本体基部１９の中央部には、前面側に組み付けられる露光機構２７から写真フイルム３３までの間の撮影光路を遮光する遮光筒３４が設けられている。この遮光筒３４の背面側には、写真フイルム３３への露光範囲を規定するアパーチャー（図示せず）が形成されており、このアパーチャーに対面するように裏蓋２４にフイルム支持面２４ａ（図２参照）が形成されている。
【００１５】
遮光筒３４の前面側には、撮影レンズ３を透過した被写体光をアパーチャーに導くための露光開口３４ａが形成されている。また、遮光筒３４の背面側には、シャッタ装置２９を構成するスプロケット３６を写真フイルム３３に向けて露呈させるための開口（図示せず）が形成されている。
【００１６】
本体基部１９には、遮光筒３４を挟んで、一方の側方部にはフイルムパトローネ３８が装填されるパトローネ室３９が、他方の側方部にはフイルムパトローネ３８から引き出された写真フイルム３３を巻き取るフイルム巻き取り室４０とが設けられている。
【００１７】
パトローネ室３９の前方周面に縦に２個のボス３９ａ，３９ｂが形成されており、これにシャッタボタン８の下部に設けられた短冊状のレリーズ部材１２の長孔１２ａ，１２ｂが挿通され、ビス１３，１４がボス３９ａ，３９ｂに螺合している。ボス３９ａ，３９ｂの長さはレリーズ部材１２の厚みよりもわずかに長くなっており、シャッタボタン８が上下方向に移動自在になっている。
【００１８】
シャッタボタン８は、レリーズ部材１２とは別部材の円盤状のボタン１５をレリーズ部材１２の上部に固定してあり、ボタン１５の下方に位置するレリーズ部材１２の棒状部（図示せず）が、後述するカウンタベース７２のボス７２ａの孔に遊挿され、コイルバネ１６によってシャッタボタン８がカウンタベース７２から離れる方向に付勢されている。なお、ボタン１５の成形材料やデザインを変更することにより、カメラ１の機種を簡単に変更することができる。
【００１９】
フイルム巻き取り室４０の上方部には、図２に示すように、ストロボ発光部５が取り付けられ、露光機構２７の下方部には電源電池３１を収納する電池室２６設けられている。ストロボ発光部５は、放電管及び反射傘などが組み込まれ、回路基板４１と、図示しない電線コードで接続されて、ストロボ装置を構成している。
【００２０】
フイルム給送機構３０は、本体基部１９の上方部に組み込まれており、スプール駆動軸４２、フイルム巻き取り軸４３、モータ４４、モータ４４の回転駆動を伝達するモータ駆動伝達部４５、スプール駆動軸４２に駆動を伝達するスプール駆動伝達部４６、遊星ギアクラッチ４７とからなる。
【００２１】
スプール駆動軸４２は、パトローネ室３９の上方部に組み込まれ、パトローネ３８のスプール３８ａに係合するパトフォーク４２ａと、このパトフォーク４２ａの上端に位置し、同軸上に一体形成されたギア４２ｂとから構成される。フイルム巻き取り軸４３は、フイルム巻き取り室４０の内部に設けられ、その周囲にフイルム３３のパーフォレーション３３ａと係合する突起４３ａが、上端部の同軸上にはギア４３ｂが一体形成されている。フイルム巻き取り軸４３の内部にはモータ４４が内蔵されている。モータ４４の駆動軸４４ａの先端には、ピニオンギア５１が固着されている。
【００２２】
モータ駆動伝達部４５は、互いに噛合された駆動ギア５３，５４からなる。一方の駆動ギア５３には、モータ４４のピニオンギア５１が噛合している。他方の駆動ギア５４には、遊星ギアクラッチ４７の太陽ギア５５が接続されている。なお、これら駆動ギア５３、５４はファインダベース３２に軸支されている。
【００２３】
また、スプール駆動伝達部４６は、互いに噛合された駆動ギア５７〜６０と、連結ギア６１とから構成される。一端側に位置する駆動ギア５７は、遊星ギアクラッチ４７の遊星ギア６２の付近に位置している。連結ギア６１の下端部には、矩形断面の突出部６１ａが形成されており、この突出部６１ａが駆動ギア６０の開口部６０ａに係合することにより一体となって回転する。この連結ギア６１は、スプール駆動軸４２のギア４２ｂに噛合するので、駆動ギア５７〜６０からの回動をスプール駆動軸４２に伝達する。
【００２４】
遊星ギアクラッチ４７は、太陽ギア５５と、遊星ギア６２と、クラッチ板６３とから構成される。クラッチ板６３には、太陽ギア５５及び遊星ギア６２が軸支される。さらに、クラッチ板６３は、本体基部１９に設けられた軸６４に軸支され、太陽ギア５５の中心と同軸に回転する。このため、遊星ギアクラッチ４７は、遊星ギア６２がフイルム巻き取り軸４３のギア４３ｂと接続する第１の位置と、遊星ギア６２がスプール駆動伝達部４６の駆動ギア５８と接続する第２の位置との間で移動することができる。
【００２５】
太陽ギア５５にモータ４４の回転駆動が伝達されたとき、モータ４４が正転方向（矢印Ａ方向）に回転した場合、遊星ギア６２は第１の位置に移動し、回転駆動が伝達されたフイルム巻き取り軸４３が写真フイルム３３を巻き上げる方向に回転する。そしてモータ４４が逆転方向（矢印Ｂ方向）に回転すると、遊星ギア６２が第２の位置に移動し、回転駆動が伝達されたスプール駆動軸４６が写真フイルム３３を巻戻す方向に回転する。このように、モータ４４の回転を切り替えることによって、巻上げ、巻戻し動作を切り替えることができる。
【００２６】
露光機構２７は、遮光筒３４の前面に組み付けられるレンズベース部４８と、シャッタ羽根４９とからなる。レンズベース部４８は、レンズカバー５０との間に撮影レンズ３を挟み込んで保持する。シャッタ羽根４９は、レンズベース部４８の背後に露光開口３４ａを開閉するように揺動自在に組み付けられている。
【００２７】
シャッタ装置２９は、シャッタボタン８、スプロケット３６、シャッタ駆動レバー６６、第１バネ６７、係止レバー６８、第２バネ６９及びカムユニット７０からなる。シャッタ駆動レバー６６及び第１バネ６７は、上述した連結ギア６１とともに、ファインダベース３２の上方部に、同軸上に軸支される。係止レバー６８は、ファインダベース３２と、カウンタベース７２との間に挟まれて軸支される。
【００２８】
図４に示すように、カウンタベース７２の上部に形成された長孔７２ｂから上方に突出された係止レバー６８のフック部６８ａと、カウンタベース７２のフック部７２ｃとの間には、第２バネ６９が掛けられて係止レバー６８を反時計方向に付勢する。このような構造にすると、係止レバー６８の回転中心から遠い部位から引っ張るため付勢の効率がよい。なお、カウンタベース７２の上部には、第２バネ６９を円弧状に曲げる円弧状のガイド条部７２ｄと、この上部に一体成形され、第２バネ６９の浮きを上方から押さえる抑え部７２ｅとが形成されている。
【００２９】
カムユニット７０は、カム部材７４及びギア部材７５からなり、これらが同軸上で回転するようにファインダベース３２に軸支されている。カム部材７４は、カム部７６と、このカム部７６の上方部にギア部材７５を支持する軸受け部７７とが形成されている。軸受け部７７の中央は、貫通穴７７ａが形成されている。この貫通穴７７ａに挿入されたギア部材７５の下端部は、カム部材７４の下方へ突出する。カム部７６は、その外周にシャッタ駆動レバー６６のカムフォロワ６６ｃが当接する。
【００３０】
ギア部材７５は、カム部材７４を貫通するように軸方向に長い棒状に形成されており、上端部には、円板部７８と、この円板部７８の上面に位置するギア部７９と、円板部７８の下面に位置する一対の弾性片８０とが形成され、下端部には下方へ突出する突出部８１が形成されている。ギア部７９は、円板状の一箇所のみ三角形状に切り欠かれた切り欠き部を持つように形成されている。
【００３１】
ギア部材７５は、突出部８１がスプロケット３６の開口部３６ａに係合することによりスプロケット３６と一体となって回転する。弾性片８０は反時計方向に突出するように形成されており、１８０度の角度間隔で回転対称な位置に配置されている。この弾性片８０は、カム部材７４の軸受け部７７に係合する。軸受け部７７の内壁面には、一対の係合突起７７ｂが回転対称な位置に形成されている。これら弾性片８０及び係合突起７７ｂは、ワンウェイクラッチを構成しており、ギア部材７５が一方の方向に回転したときのみ、ギア部材７５とカム部材７４とが係合し、一体となって回転することが可能となっている。
【００３２】
写真フイルム３３の１コマ送りのときには、モータ４４の回動により、スプール駆動軸４２が回転し、スプール３８ａに写真フイルム３３が巻戻される。この１コマ送りのときには、スプロケット３６が写真フイルム３３のパーフォレーション３３ａに係合しているので、図３の図中反時計方向に従動回転する。このとき、弾性片８０が係合突起７７ｂに当接して係合し、カム部材７４が同方向に一体となって回転する。逆に、ギア部材７５が図中時計方向の巻上げ方向に回転すると、弾性片８０は係合突起７７ｂに当接して弾性変形し、係合突起７７ｂを乗り越えるので、カム部材７４は回転しない。これにより、カム部材７４は、ワンウェイクラッチの作用で、１コマ送り方向のときのみカム部７６が回転してシャッタ駆動レバー６６を押圧してチャージ状態とし、初期送り方向のときには、シャッタ駆動レバー６６を押圧しない。
【００３３】
なお、カムユニット７０は、ギア部材７５の下方部が、ファインダベース３２に形成された軸受け穴３２ａに挿入され、ギア部材７５の上端部が、カウンタカバー８２（図２参照）によって支持されるので、上下から挟み込まれた状態で確実に支持される。
【００３４】
係止レバー６８には、図５及び図６に示すように、係止部材としての爪部材７１が四角筒状のガイド筒６８ｃ内に移動自在に組み込まれ、爪部材７１の先端部７１ａがコイルバネ７３によってガイド筒６８ｃの開口８８から突出する方向に付勢されている。また、爪部材７１が付勢方向に抜け出ないように、爪部材７１の先端部７１ａと反対側の端部に鉤状のストッパ部７１ｂが形成されている。
【００３５】
爪部材７１の先端部７１ａは、図５及び図７に示すように、上方から見て三角形状をしており、チャージ位置でシャッタボタン８の係合爪部１２ｃと係合する偏平面７１ｃ（図６参照）と、この反対側に設けられた傾斜面７１ｄとからなる。また、係止レバー６８には、チャージ時にカム部７６によって押され、係止レバー６８を時計方向に回動させる突起部６８ｄがガイド筒６８ｃの反対側に設けられている。
【００３６】
シャッタボタン８の押下操作に伴って、係合爪部１２ｃと偏平面７１ｃとは互いに擦れ合ってから、第２バネ６９の付勢によって離れ、係止レバー６８は反時計方向に回動する。この係止レバー６８の回動軌跡は、図５及び図７に示すように、レリーズ部材１２の移動方向（垂直方向）に対して直交するほぼ水平面内で回動するから、係合爪部１２ｃと偏平面７１ｃとの擦れ合いの時間的な長短によって、係止レバー６８の回動開始位置が変動することはない。
【００３７】
図８に示すように、前記傾斜面７１ｄは、係止レバー６８がシャッタ駆動レバー６６の係止を解除する解除位置（二点鎖線）からシャッタ駆動レバー６６を係止する係止位置（実線）に向かって回動する際に、係合爪部１２ｃと当たって爪部材７１をコイルバネ７３の付勢に抗して退避させるから、爪部材７１が係止レバー６８の係止位置への回動を邪魔することはない。
【００３８】
シャッタ駆動レバー６６は、前端部には、レリーズ操作時にシャッタ羽根４９のシャッタ開放用突起４９ａを蹴り飛ばす蹴飛ばしレバー６６ａが、その上面にはチャージ状態で係止レバー６８の係止突起６８ｂに係止される被係止突起６６ｂ（図５参照）が、側端部には、カム部７６によって押圧されるカムフォロワ６６ｃが一体に形成されている。カム部７６は、羽根形状の突起からなり、カムフォロワ６６ｃを押圧し、シャッタ駆動レバー６６を時計方向（チャージ位置）に向けて回動させる。
【００３９】
シャッタボタン８の係合爪部１２ｃは、係止レバー６８の爪部材７１の偏平面７１ｃに係合しており、シャッタボタン８が押下されることにより、係合爪部１２ｃによる係合が解除された係止レバー６８が反時計方向に回動されて、係止突起６８ｂと被係止突起６６ｂとの係合が解除される。これにより、係止レバー６８による係止が解除されたシャッタ駆動レバー６６は、第１バネ６７の付勢により反時計方向に回動する。
【００４０】
シャッタ駆動レバー６６が反時計方向に回動されると、蹴飛ばしレバー６６ａがシャッタ羽根４９の突起４９ａを蹴飛ばす。これにより、シャッタ羽根４９は軸着部を中心にして揺動して露光開口３４ａを開放し、写真フイルム３３への露光が行われる。シャッタ羽根４９はバネによって露光開口３４ａを塞ぐ位置に向けて付勢されているので、露光開口３４ａはすぐに閉じられる。また、シャッタ駆動レバー６６の蹴飛ばし動作は、図示しない検出スイッチ、例えばマイクロスイッチなどによって検出され、蹴飛ばし動作が終了すると、モータ４４が回転して１コマ送りが再び行われる。
【００４１】
カウンタ機構３１は、カウンタ板８５とカウンタベース７２からなる。カウンタベース７２は、本体基部１９の上方部にネジ止めなどにより取り付けられており、カウンタ板８５を支持する支持軸８６と、カウンタ板８５を付勢する付勢部材８７とが一体に形成されている。
【００４２】
カウンタ板８５の外周に形成された歯はギア部材７５のギア部７９に噛合され、カムユニット７０の一回転によって図中反時計方向に一歯分回転される。カウンタ板８５の上面に記された目盛りは、上方に配置されるカウンタカバー８２（図２参照）に一体成形されたレンズ付きのカウンタ窓９から外部表示される。
【００４３】
次に、上記実施形態の作用について説明する。使用者がカメラ１の裏蓋２４を開けて、フイルム３３を適度な位置まで引き出した状態でパトローネ３８をパトローネ室３９に装填する。パトローネ室３９への装填によって、スプール３８ａの端部がスプール駆動軸４２のパトフォーク４２ａに係合する。
【００４４】
フイルム３３のパーフォレーション３３ａをフイルム巻き取り軸４３の突起４３ａに係合させた状態で裏蓋２４を閉じると、図示しない検出部によって裏蓋２４の閉じ状態を検出したカメラ１の制御部は、モータ４４を正転方向（矢印Ａ方向）に回転し始める。
【００４５】
フイルム巻き取り軸４３が巻き上げ方向に回転し、フイルム３３はフイルム巻き取り軸４３に巻き取られていく。この間、スプロケット３６は時計方向に連続的に回転し、ギア部材７５もスプロケット３６と一体的に回転するが、ワンウェイクラッチの構成によりカム部材７４は回転しない。
【００４６】
一本分のフイルム３３が巻き取られた後、モータ４４が１コマ分だけ逆転方向（矢印Ｂ方向）に回転する。これにより、ギア部材７５と一体にカム部材７４が反時計方向に回転し、カム部７６がカムフォロワ６６ｃを押圧してシャッタ駆動レバー６６を時計方向（チャージ位置）に向けて回動させるとともに、続けてカム部７６が突起部６８ｄを押して係止レバー６８を時計方向（係止位置）に向けて回動させる。このように、シャッタ駆動レバー６６のチャージ位置への回動と、係止レバー６８の係止位置への回動とを、１個のカム部７６により連続して行うから、シャッタ駆動レバー６６と係止レバー６８の回動タイミングを常に一定して精度よく行うことができる。なお、図５におけるシャッタ駆動レバー６６と係止レバー６８との位置関係は、図面が煩雑になるのを避ける意図から、実際とは異なっており、カムフォロワ６６ｃと突起部６８ｄとは図面よりもっと近い距離関係にある。
【００４７】
係止レバー６８が解除位置から係止位置へ回動する間の爪部材７１の回動軌道上に係合爪部１２ｃがあるが、係合爪部１２ｃからの反作用によって傾斜面７１ｄが押され、爪部材７１がコイルバネ７３の付勢に抗して引っ込むから、爪部材７１が係止レバー６８の係止位置への回動を邪魔することはない。
【００４８】
爪部材７１の偏平面７１ｃが係合爪部１２ｃに係合して係止レバー６８が係止位置に達すると、シャッタ駆動レバー６６の被係止突起６６ｂが係止レバー６８の係止突起６８ｂに係合して、シャッタ駆動レバー６６がチャージ位置に係止される。
【００４９】
フイルム３３の第１コマ目がアパーチャーにセットされ、シャッタ装置２９がチャージ状態になるから、使用者は接眼側ファインダレンズ１１から被写体を観察し、フレーミングを行ってからシャッタボタン８を押し下げる。これにより、レリーズ部材１２の係合爪部１２ｃが下方に移動し、係合爪部１２ｃと爪部材７１の偏平面７１ｃとの係合が解除されると、係止レバー６８は係止位置から解除位置に向かって反時計方向に回動する。
【００５０】
ここで、係合爪部１２ｃと爪部材７１との係合が解除されるまで、シャッタボタン８の押下による係合爪部１２ｃの移動は、係止レバー６８の係止位置になんら影響を与えないから、シャッタボタン８の押下速度の緩急に因らず、係止レバー６８の回動開始位置は一定である。したがって、第２バネ６９の付勢によって回動する係止レバー６８の回動速度は一定になる。
【００５１】
係止レバー６８の回動速度が一定であるから、係止突起６８ｂと被係止突起６６ｂとの係合が解除されるタイミングもシャッタボタン８の押下速度の緩急に因らず一定になる。この結果、シャッタ駆動レバー６６が第１バネ６７の付勢により常に同じ速度で反時計方向に回動する。
【００５２】
シャッタ駆動レバー６６の蹴飛ばしレバー６６ａによって蹴飛ばされたシャッタ羽根４９が揺動して露光開口３４ａを一定のタイミングで開閉し、写真フイルム３３に一定量の露光を与える。すなわち、シャッタ速度は一定になる。この後、モータ４４が回転して１コマ送りが行われる。
【００５３】
以上説明した実施形態では、係止レバー６８側に、シャッタボタン８のレリーズ部材１２と連動させる連動部材として移動自在の爪部材７１を設けたが、本発明はこれに限定されることなく、図９に示すように、シャッタボタン９０側に、係止レバー９１との係合手段として、移動自在の爪部材９２を設けてもよい。
【００５４】
前記爪部材９２は、シャッタボタン９０のレリーズ部材９４の突起部９４ａに形成された四角形のトンネル９５に遊挿されており、コイルバネ９７によってトンネル９５から突出する方向に付勢されている。爪部材９２には、図示しないストッパが設けられ、トンネル９５からの突出量が規定されている。一方の係止レバー９１には、図示したシャッタチャージがなされる係止位置で爪部材９２と係合する係合爪部９１ａが形成されている。
【００５５】
図示したチャージ状態からシャッタボタン９０を押し下げると、レリーズ部材９４と一緒に爪部材９２が下方に移動し、係合爪部９１ａと爪部材９２との係合が解除され、係止レバー９１は反時計方向に回動される。そして、シャッタ開閉後の１コマ送りの際には、係止レバー９１が解除位置から時計方向に回動される。この途中で係合爪部９１ａが爪部材９２の傾斜面９２ａと突き当たるが、反作用によって爪部材９２がコイルバネ９７の付勢に抗して引っ込むから、係止レバー９１は、そのまま時計方向に回動され、係止位置に復帰する。
【００５６】
なお、本発明に係る爪部材の形状、これを保持する部分の構成や付勢手段は、上記実施形態に記載したものに限定されないのはもちろんである。
【００５７】
【発明の効果】
以上説明したように、本発明のシャッタ装置によれば、係止レバーの回動軌跡をレリーズ部材の移動方向と直交する面内とするとともに、係止レバー又はレリーズ部材のいずれか一方に係止部材を設け、シャッタチャージ動作に伴って解除位置から係止位置に回動してきた係止レバーを第２バネの付勢に抗して係止位置に係止するとともに、シャッタボタンの押下操作に伴うレリーズ部材の移動により係止レバーの係止位置を変更することなく係止レバーの係止を解除するようにしたので、シャッタボタンの押下操作の緩急に因らず常に一定の係止位置から係止レバーが解除位置に向かって回動し、シャッタ駆動レバーがシャッタ羽根を蹴飛ばす強さは一定になるから、シャッタ速度を一定にすることができる。
【００５８】
また、前記係止部材は、シャッタチャージ動作に伴って係止レバーが解除位置から係止位置に回動される間にレリーズ部材の一部と当接しても係止レバーの回動を許容するように引っ込むから、係止レバーの係止位置への回動を邪魔することなく、係止レバーを係止位置に係止することができる。
【図面の簡単な説明】
【図１】本発明を実施したカメラの外観斜視図である。
【図２】図１に示すカメラの分解斜視図である。
【図３】本体基部の構成を示す分解斜視図である。
【図４】係止レバー，第２バネ及びカウンタベースの関係を示す説明図である。
【図５】シャッタボタン，係止レバー及びシャッタ駆動レバーの関係を示す説明図である。
【図６】係止レバーに組み込まれた爪部材の構成を示すガイド筒の端面図である。
【図７】チャージ状態における係止レバーの爪部材とシャッタボタンの係合爪部との関係を示す説明図である。
【図８】１コマ送りに伴う係止レバーの回動途中の爪部材とシャッタボタンの係合爪部との関係を示す説明図である。
【図９】レリーズ部材側に爪部材を設けた実施形態を示す説明図である。
【符号の説明】
１  カメラ
８，９０  シャッタボタン
１２，９４  レリーズ部材
１２ｃ  係合爪部
１５  ボタン
３６  スプロケット
４９  シャッタ羽根
６６  シャッタ駆動レバー
６６ｃ  カムフォロワ
６７  第１バネ
６８，９１  係止レバー
６８ｃ  ガイド筒
６９  第２バネ
７１，９２  爪部材
７１ｃ  偏平面
７１ｄ  傾斜面
７２  カウンタベース
７３，９７  コイルバネ
７４  カム部材
７５  ギア部材
７６  カム部
【図１】
2005043562.tif 000003
【図２】
2005043562.tif 000004
【図３】
2005043562.tif 000005
【図４】
2005043562.tif 000006
【図５】
2005043562.tif 000007
【図６】
2005043562.tif 000008
【図７】
2005043562.tif 000009
【図８】
2005043562.tif 000010
【図９】
2005043562.tif 000011